(57)【要約】【課題】複数の部品や複雑な組立作業を必要とせず、簡単な作業で組立て可能で、機械生産での量産が容易なポップアップカードを提供する。【解決手段】上側基材１１と下側基材１２とからなり、これらの基材にはその端部分に設けられた接着領域１３，１４と非接着領域１５とを有し、上側基材と下側基材とが平面状に畳まれた平板状態から、基材を折り曲げて立体的に組み立てる立体状態に変形可能とされてなるポップアップカード１０〜５０であって、接着領域において上側基材と前記下側基材とが貼り合わされるとともに、非接着領域において、上側基材および／または下側基材には、所定の切り込みＬ１〜Ｌ５４が設けられる。【選択図】図４
2015191204.tif 000002
【特許請求の範囲】
【請求項１】
上側基材と下側基材とからなり、これらの基材にはその端部分に設けられた接着領域と、この接着領域に隣接する非接着領域とを有し、前記上側基材と前記下側基材とが平面状に畳まれた平板状態から、前記上側基材および／または前記下側基材を折り曲げて立体的に組み立てる立体状態に変形可能とされてなるポップアップカードであって、
前記接着領域において、前記上側基材と前記下側基材とが貼り合わされるとともに、
前記非接着領域において、前記上側基材および／または前記下側基材には、所定の切り込みが設けられ、
前記接着領域が、前記上側基材と前記下側基材との両端部分に設けられ、これらの接着領域で挟まれた中央部分に前記非接着領域が設けられることを特徴とするポップアップカード。
【請求項２】
前記切り込みは、前記非接着領域において、前記上側基材の両端部分に設けられた前記接着領域どうしを離間するように設けられることを特徴とする請求項１記載のポップアップカード。
【請求項３】
前記非接着領域における前記下側基材の一部が切り離し可能とされることを特徴とする請求項１または２記載のポップアップカード。
【請求項４】
前記接着領域に平面視した輪郭形状として凸状に外向きに突出して設けられた突出部と、
前記突出部を差し込み可能な前記切り込みとして設けられた差し込み部と、
少なくとも前記非接着領域の前記上側基材に設けられた連接したディスプレイ部と、を有し、
前記突出部を前記差し込み部に差し込むことにより前記ディスプレイ部を起立させることを特徴とする請求項１から３のいずれか記載のポップアップカード。
【請求項５】
前記ディスプレイ部が、前記非接着領域の前記上側基材を切り抜いた所定の輪郭形状として形成されることを特徴とする請求項４記載のポップアップカード。
【請求項６】
前記非接着領域の前記上側基材と前記下側基材との間には剥離ニス層が設けられ、前記上側基材と前記下側基材とが擬似接着されていることを特徴とする請求項１から５のいずれか記載のポップアップカード。
【請求項７】
前記非接着領域の前記下側基材には、立体的に組み立てた前記立体状態において、外側に突出する支持部が設けられ、
前記接着領域には、前記立体状態において、立体状態とした他のポップアップカードにおける支持部を差し込んで連結可能な差し込み部が形成されることを特徴とする請求項１から６のいずれか記載のポップアップカード。
【発明の詳細な説明】
【技術分野】
【０００１】
本発明は、ポップアップカードに係り、特に、主に飲料、菓子類、雑貨、雑誌の付録などの景品として、置物やおもちゃとすることのできる起立型のポップアップカードなどに用いて好適な技術に関する。
【背景技術】
【０００２】
従来、飲料や菓子類に商品販促用の景品として、各種キャラクターが印刷されたトレーディングカードやシール類が良く使用されている。例えば、幼児や子供向けの商品などでは、組み立てたり、折り曲げたりすることで、キャラクターが印刷された表示部を起立状態にすることができる組立てカードやポップアップカードなどが知られている。
【０００３】
特許文献１には、カード状ケースに挟入した装飾板を、カード状ケースを折り畳むことによって飛び出させ、立体的な形態に変形させることができるポップアップカードが開示されている。
特許文献２には、一枚の板紙を折り曲げて組み立てるだけで、台座の上に人物や商品などの絵柄を立った状態にすることができる板紙製のカードが開示されている。
特許文献３には、シート製の複数の部品を折り曲げたり組み合わせたりして構成される組立式シート製玩具が開示されている。
【先行技術文献】
【特許文献】
【０００４】
【特許文献１】特開平１０−１７１３５２号公報
【特許文献２】特開２０００−２３８４７３号公報
【特許文献３】実用新案登録第３１５６８２５号公報
【発明の概要】
【発明が解決しようとする課題】
【０００５】
しかし、これらの技術であると構造が複雑すぎて、例えば３歳程度の幼児など手の操作性に劣る状態では楽しんで遊べないという問題がある。同時に、このような構造であると、輪転機等によりワンパスで少ない工程数として安価で高速に製造するには非常な困難を来すためこれを改善したいという要求がある。さらに、製造上の制約からデザインに対する自由度が低下するため、これを改善したいという要求もある。
【０００６】
また、これらの問題を解消しようとして、一枚の紙（基材）からなる構成とした場合、起立させるための強度が低下してかえって良好に起立できないか、より一層構造が複雑になってしまうと言う問題があった。
【０００７】
本発明は、上記の事情に鑑みてなされたもので、複数の部品や複雑な組立作業を必要とせず、簡単な作業で組立て可能で、機械生産での量産が容易なポップアップカードであり、また、複数の組立体を組み合わせる面白みを付加したポップアップカードを提供するという目的を達成しようとするものである。
【課題を解決するための手段】
【０００８】
本発明のポップアップカードは、上側基材と下側基材とからなり、これらの基材にはその端部分に設けられた接着領域と、この接着領域に隣接する非接着領域とを有し、前記上側基材と前記下側基材とが平面状に畳まれた平板状態から、前記上側基材および／または前記下側基材を折り曲げて立体的に組み立てる立体状態に変形可能とされてなるポップアップカードであって、
前記接着領域において、前記上側基材と前記下側基材とが貼り合わされるとともに、
前記非接着領域において、前記上側基材および／または前記下側基材には、所定の切り込みが設けられ、
前記接着領域が、前記上側基材と前記下側基材との両端部分に設けられ、これらの接着領域で挟まれた中央部分に前記非接着領域が設けられることにより上記課題を解決した。
本発明のポップアップカードにおいて、前記切り込みは、前記非接着領域において、前記上側基材の両端部分に設けられた前記接着領域どうしを離間するように設けられることが可能である。
また、前記非接着領域における前記下側基材の一部が切り離し可能とされることができる。
また、本発明においては、前記接着領域に平面視した輪郭形状として凸状に外向きに突出して設けられた突出部と、
前記突出部を差し込み可能な前記切り込みとして設けられた差し込み部と、
少なくとも前記非接着領域の前記上側基材に設けられた連接したディスプレイ部と、を有し、
前記突出部を前記差し込み部に差し込むことにより前記ディスプレイ部を起立させることが好ましい。
本発明は、前記ディスプレイ部が、前記非接着領域の前記上側基材を切り抜いた所定の輪郭形状として形成されることができる。
本発明は、前記非接着領域の前記上側基材と前記下側基材との間には剥離ニス層が設けられ、前記上側基材と前記下側基材とが擬似接着されていることができる。
本発明は、前記非接着領域の前記下側基材には、立体的に組み立てた前記立体状態において、外側に突出する支持部が設けられ、
前記接着領域には、前記立体状態において、立体状態とした他のポップアップカードにおける支持部を差し込んで連結可能な差し込み部が形成されることができる。
【０００９】
本発明のポップアップカードは、上側基材と下側基材とからなり、これらの基材にはその端部分に設けられた接着領域と、この接着領域に隣接する非接着領域とを有し、前記上側基材と前記下側基材とが平面状に畳まれた平板状態から、前記上側基材および／または前記下側基材を折り曲げて立体的に組み立てる立体状態に変形可能とされてなるポップアップカードであって、
前記接着領域において、前記上側基材と前記下側基材とが貼り合わされるとともに、
前記非接着領域において、前記上側基材および／または前記下側基材には、所定の切り込みが設けられることにより、折り曲げて立体的に組み立てた際に、接着領域および非接着領域を有することでこれらの領域が折れ曲がるだけで、簡単な構成で容易に組み立て可能とすることができる。同時に、輪転機での連続した製造を可能とすることができる。
なお、接着領域は、その延在する方向の全長に等しい長さで設けられることができ、同時に、接着領域における糊等の接着剤の塗布はその一部または全部とすることができる。
【００１０】
本発明において、前記接着領域が、前記上側基材と前記下側基材との両端部分に設けられ、これらの接着領域で挟まれた中央部分に前記非接着領域が設けられることにより、非接着領域である中央部分において上側基材と下側基材とを互いに離間するように折り曲げることで、例えば、上側基材をディスプレイ部として所望のアイキャッチを印刷し、下側基材を立体的に組み立てたポップアップカードを支える脚部とすることができ、これにより、容易に組み立て可能で、かつ、簡易的に立体を形成して起立可能な構造を実現することができる。同時に、輪転機での連続した製造を可能とすることができる。
【００１１】
本発明のポップアップカードにおいて、前記切り込みは、前記非接着領域において、前記上側基材の両端部分に設けられた前記接着領域どうしを離間するように設けられることにより、上側基材をディスプレイ部として所望のアイキャッチを印刷し、このディスプレイ部に接続された接着領域の少なくとも一部かこの接着領域に連続した下側基材の一部を脚部として、折り曲げて立体的に組み立てた際にディスプレイ部をポップアップに相当する部分として安定的に起立させることが容易に可能となる。同時に、上側基材をディスプレイ部として所望のアイキャッチを印刷した後にこの上側基材の不要部分を輪転機により連続的に除去するカス上げを容易におこなうことが可能となる。
【００１２】
また、本発明において、立体的に組み立てた前記立体状態で載置する際の脚部となる前記接着領域を有する手段を採用することにより、２枚の上側基材と下側基材とが貼り合わされて形成され強度が充分な接着部分を脚部として使用し、安定的に起立させることが容易になる。
【００１３】
また、前記非接着領域における前記下側基材の一部が切り離し可能とされることにより、切り離す部分に所定の文字やデザインを印刷等によって設けることが可能となり、これにより、応募券やモバイル端末で使用可能な三次元バーコード等として使用することができる。
【００１４】
また、本発明においては、前記接着領域に平面視した輪郭形状として凸状に外向きに突出して設けられた突出部と、
前記突出部を差し込み可能な前記切り込みとして設けられた差し込み部と、
少なくとも前記非接着領域の前記上側基材に設けられた連接したディスプレイ部と、を有し、
前記突出部を前記差し込み部に差し込むことにより前記ディスプレイ部を起立させることで、突出部が、上側基材と下側基材との２枚が貼り合わされた接着領域からなるものとして、不要な折り曲げや破れの発生に対して充分対抗可能な強度を有するとともに、ディスプレイ部が、少なくとも上側基材の１枚からなる部分を有するため、柔軟性を有し、起立させやすい状態を維持して、視認性を向上することが可能となる。
【００１５】
本発明においては、前記突出部が、前記接着領域において前記非接着領域の反対側に設けられることにより、非接着領域に設けられたディスプレイ部を起立させるために、突出部を差し込み部に容易に差し込み可能な位置として配置することができる。
【００１６】
本発明は、前記差し込み部が、前記非接着領域の前記下側基材に設けられることにより突出部の形成されていない接着領域を起立させるための脚部とするとともに、この起立状態を維持するように、差し込み部に突出部を差し込んで立体状に組み立てることを容易とすることができる。
【００１７】
本発明は、前記差し込み部が平行に形成された２本の切り込みとされることにより、突出部の形成されていない接着領域に干渉することなく突出部分を差し込み部に差し込んだ状態を維持可能とすることができるとともに、差し込み部に差し込んだ突出部の差し込み位置を規定して、組み立てた立体状態を容易に維持可能とすることができる。
【００１８】
本発明は、前記ディスプレイ部が、前記非接着領域の前記上側基材を切り抜いた所定の輪郭形状として形成されることにより、下側基材の形状に影響されずにディスプレイ部の視認性を向上することが可能となり、アイキャッチ効果を向上し、遊戯性を向上することができる。
【００１９】
本発明は、前記非接着領域の前記上側基材と前記下側基材との間には剥離ニス層が設けられ、前記上側基材と前記下側基材とが擬似接着されていることにより、輪転機による連続した製造を容易にすることができる。
【００２０】
本発明は、前記非接着領域の前記下側基材には、立体的に組み立てた前記立体状態において、外側に突出する支持部が設けられ、
前記接着領域には、前記立体状態において、立体状態とした他のポップアップカードにおける支持部を差し込んで連結可能な差し込み部が形成されることにより、複数のポップアップカードを立体的に組み立てた状態で連結して、遊戯性を向上するとともに、コレクションとしてのシリーズ多様性を向上することができる。
【００２１】
本発明のポップアップカードは、上側基材と下側基材とが少なくとも２箇所の端部に設けられた接着領域で貼り合わされ、一方の端部には平面視凸状の前記接着領域からなる突出部を端部外側に有し、他方の端部には前記突出部の差し込み部を有し、前記突出部を前記差し込み部に差し込むことにより、前記他方の端部に設けられた接着領域に連接した前記上側基材からなるディスプレイ部（装飾部）を起立させるものである。
前記突出部は上側基材と下側基材とが貼り合わされた接着領域からなるため、折り曲げや破れに対して強度が補強されている。一方、前記ディスプレイ部は前記上側基材からなるため、柔軟性を有し、起立させやすい。
【００２２】
本発明の前記差し込み部は、前記他方の端部に設けられた接着領域に連接した下側基材の前記接着領域の近傍に形成された少なくとも２本の切り込みからなるものとすることが好ましい。この場合、下側基材にのみ切り込みを設けたため、差込口に差し込まれた突出部が上側基材の上面から見えることがなくディスプレイ性を向上して、上側基材上面の印刷上の制約をなくすことができる。
なお、前記差し込み部は、２本の切り込みからなるものとされることが好ましいが、１本の切り込みからなるものとすることもできる。
【００２３】
本発明では、前記ディスプレイ部が任意の絵柄形状に切り抜かれていることが好ましい。また、本発明では、前記上側基材からなるディスプレイ部は下側基材側に剥離ニスからなる層を形成することで下側基材に擬似接着されていることができる。この場合、ディスプレイ部を任意の形状に切り抜くことにより起立させたときディスプレイ部の立体感が得られ、またディスプレイ部を下側基材に擬似接着させることにより、組立て前の状態でディスプレイ部が浮き剥がれることを防ぐことができ、輪転機での製造における不具合発生を低減してより容易に製造することを可能にできる。
【００２４】
本発明では、前記ディスプレイ部の下面側となる前記下側基材の少なくとも一部をその周囲にミシン目などを形成することで切り離し可能とすることができる。これによりディスプレイ部を起立させた後の余分な下側基材を取り除くことが可能となる。また取り除いた下側基材を、例えば、キャラクター等のデザインとして印刷したディスプレイ部に対して、その着せ替え用パーツを印刷する領域として用いたり、組み立て用の説明書きに用いたり、クーポン等の応募券に用いたりすることもできる。
【００２５】
本発明では、前記下側基材には前記一方の端部に形成された接着領域に連接した支持部が形成される。これによりディスプレイ部を起立させた後、この支持部が転倒を防止し、安定化させることができる。
【００２６】
本発明では、前記他方の接着領域に前記支持部を差し込むための差し込み部が形成されているとよく、これにより２つ以上の本発明を繋げることができ、単なる置物以上の遊び方の面白みが増す。
【発明の効果】
【００２７】
本発明によれば、複数の部品や複雑な組立作業を必要とせず、簡単な作業で組立て可能で、機械生産での量産が容易なポップアップカードであり、また、複数の組立体を組み合わせる面白みを付加したポップアップカードを提供することができるという効果を奏することができる。
【図面の簡単な説明】
【００２８】
【図１】本発明に係るポップアップカードの第１実施形態を示す平面図であり、（ａ）上面図、（ｂ）側面図、（ｃ）下面図である。
【図２】本発明に係るポップアップカードの第１実施形態における製造工程を示す模式平面図である。
【図３】本発明に係るポップアップカードの第１実施形態における製造工程を示すフローチャートである。
【図４】本発明に係るポップアップカードの第１実施形態における組み立て途中の状態を示す斜視図である。
【図５】本発明に係るポップアップカードの第１実施形態における組み立てた立体状態の前側を示す斜視図である。
【図６】本発明に係るポップアップカードの第１実施形態における組み立てた立体状態の後ろ側を示す斜視図である。
【図７】本発明に係るポップアップカードの第１実施形態における連結した立体状態の前側を示す斜視図である。
【図８】本発明に係るポップアップカードの第１実施形態における連結した立体状態の後ろ側を示す斜視図である。
【図９】本発明に係るポップアップカードの第１実施形態における他の連結した立体状態の前側を示す斜視図である。
【図１０】本発明に係るポップアップカードの第２実施形態における組み立てた立体状態の前側を示す斜視図である。
【図１１】本発明に係るポップアップカードの第２実施形態における組み立てた立体状態の後ろ側を示す斜視図である。
【図１２】本発明に係るポップアップカードの第３実施形態における組み立てた立体状態の前側を示す斜視図である。
【図１３】本発明に係るポップアップカードの第４実施形態における組み立て途中の状態の後ろ側を示す斜視図である。
【図１４】本発明に係るポップアップカードの第５実施形態における組み立てた立体状態の前側を示す斜視図である。
【発明を実施するための形態】
【００２９】
以下、本発明に係るポップアップカードの第１実施形態を、図面に基づいて説明する。
図１は、本実施形態におけるポップアップカードを示す平面図であり、（ａ）上側基材を示す上面図、（ｂ）側面図、（ｃ）下側機材を示す下面図であり、図において、符号１０は、ポップアップカードである。
【００３０】
本実施形態におけるポップアップカード１０は、平面状に畳まれた平板状態から折り曲げて立体的に組み立てる立体状態に変形可能とされてなる略矩形状とされ、例えば、紙等の折りたたみ可能な枚葉状基材からなるものとされる。
ポップアップカード１０は、図１に示すように、上側基材１１と下側基材１２とからなり、これらの基材１１，１２にはその端部分に設けられた接着領域１３，１４と、この接着領域１３，１４に隣接する非接着領域１５とを有し、接着領域１３，１４において、上側基材１１と下側基材１２とが貼り合わされるとともに、非接着領域１５において、上側基材１１および／または下側基材１２には、所定の切り込みＬ１〜Ｌ５が設けられる。上側基材１１および／または下側基材１２には、所定の折り線Ｆ１〜Ｆ４が設けられる。
【００３１】
接着領域１３，１４は、略矩形状とされるポップアップカード１０の両端部分に帯状として略平行状態に設けられ、これらの接着領域１３，１４で挟まれた中央部分に非接着領域１５が設けられる。
接着領域１３，１４では、上側基材１１と下側基材１２との間の全面に設けられた接着剤層１３ａ、１４ａによって上側基材１１と下側基材１２とが貼り合わされる。
接着領域１４には、平面視した輪郭形状として凸状に外向きに突出して設けられた突出部１７が設けられ、接着領域１３が立体的に組み立てた立体状態で載置する際の脚部とされる。接着領域１３に隣接する非接着領域１５の下側基材１２には、突出部１７を差し込み可能な差し込み部１８が設けられる。差し込み部１８は、非接着領域１５の下側基材１２に設けられ、平行に形成された２本の切り込みＬ２とされる。突出部１７を差込部１８に差し込むことによりディスプレイ部１６を起立可能とされている。突出部１７が、平面視した接着領域１４において非接着領域１５の反対側位置に設けられる
【００３２】
非接着領域１５においては、上側基材１１を切り込みＬ１によって切り抜いた所定の輪郭形状としてディスプレイ部１６が形成され、このディスプレイ部１６を形成する切り込みＬ１、および、ディスプレイ部１６の輪郭線となっている切り込みＬ１の端部からポップアップカード１０の接着領域１３の延在する方向の端部に至る直線状の切り込みＬ１ａに加え、接着領域１４の延在する方向と平行な方向として接着領域１４と非接着領域１５との境界に設けられた直線状の切り込みＬ１ｂが設けられる。
【００３３】
切り込みＬ１の外側で、切り込みＬ１ａより接着領域１４側に位置し、かつ、切り込みＬ１ｂより接着領域１３側にある上側基材１１が除去されることによって、上側基材１１の両接着領域１３，接着領域１４どうしが離間する状態とされている。
非接着領域１５においては、切り込みＬ３，Ｌ３ａ，Ｌ４ａ，Ｌ４，Ｌ４ｂによって下側基材１２の一部分が切り離し可能な切り離し部１２Ａとされる。
【００３４】
非接着領域１５の下側基材１２においては、帯状の接着領域１３および接着領域１４を結ぶ方向として、これら接着領域１３および接着領域１４の両端側位置に延在するように２本の直線状の切り込みＬ３が平行に形成される。２本の切り込みＬ３において接着領域１３側の両端部は、接着領域１３および接着領域１４の延在する方向と平行な直線状の切り込みＬ３ａの両端部にそれぞれが接続されて、これら２本の切り込みＬ３および切り込みＬ３ａはコ字状に形成されている。また、２本の切り込みＬ３の中央位置には、切り込みＬ３ａと略平行に切り込みＬ４ａが設けられ、この切り込みＬ４ａの中央側の端部から接着領域１４側に延在する切り込みＬ４が接続され、切り込みＬ４の接着領域１４側端部は切り込みＬ３ａと平行な切り込みＬ４ｂで互いに接続されている。折り線Ｆ１〜Ｆ４はいずれも、接着領域１３および接着領域１４の延在する方向と平行なポップアップカード１０の長さ寸法全長に亘って設けられる。
【００３５】
非接着領域１５の上側基材１１と下側基材１２との間には剥離ニス層１５ａが設けられ、上側基材１１と下側基材１２とが剥離可能に擬似接着されている。
非接着領域１５の下側基材１２には、切り込みＬ３，Ｌ４ａ，Ｌ４，Ｌ４ｂによって、立体的に組み立てた立体状態において外側に突出する支持部１９が、平面状態では、接着領域１４から接着領域１３に向かう方向に延在するように接着領域１４に接続するように形成されている。
接着領域１３には、立体状態において、立体状態とした他のポップアップカードにおける支持部１９を差し込んで連結可能な差し込み部１９Ａが切り込みＬ５として形成されている。
【００３６】
折り線Ｆ１は、非接着領域１５の下側基材１２に、切り込みＬ３ａと一致する位置として接着領域１３が延在する方向と平行状態に設けられる。折り線Ｆ２は、非接着領域１５の下側基材１２に、切り込みＬ４ａと一致する位置として接着領域１３が延在する方向と平行状態に設けられる。折り線Ｆ３は、非接着領域１５の下側基材１２に、切り込みＬ４ｂおよび切り込みＬ３の接着領域１４側端部と一致する位置として接着領域１４が延在する方向と平行状態に設けられる。折り線Ｆ４は、接着領域１４の上側基材１１および下側基材１２に、突出部１７の基端位置として接着領域１４が延在する方向と平行状態に設けられる。
【００３７】
本実施形態のポップアップカード１０によれば、図１（ａ）に示すように、上側基材１１と下側基材１２とが２箇所の端部に設けられた接着領域１３，接着領域１４と、これら接着領域１３，接着領域１４の間に設けられた擬似接着領域１５を挟んだ構成で貼り合わされている。また、図１（ａ）に示すように、接着領域１４に相当する一方の端部には平面視凸状の突出部１７が端部外側に突出するように設けられている。上側基材１１は、図１（ｂ）に示すように、２箇所の端部に設けられた接着領域１３，１４で下側基材１２と接着されている。ディスプレイ部１６は、図１（ｂ）に示すように、接着領域１３に連接して任意の絵柄形状に切り抜かれ、非接着領域（擬似接着領域）１５において下側基材１２と擬似接着されている。
【００３８】
本実施形態のポップアップカード１０によれば、図１（ａ）〜（ｃ）に示すように、下側基材１２には、組立てを容易にするための折り線Ｆ１〜Ｆ４が形成されている。下側基材１２には、接着領域１３と折り線Ｆ１との間の非接着領域１５に２本の切り込みＬ２による差し込み部１８が形成されている。接着領域１４と折り線Ｆ２との間には、接着領域１４に連接した支持部１９が切込みＬ３，Ｌ４ａ，Ｌ４により形成されている。また、折り線Ｆ１と折り線Ｆ３との間に支持部１９の延長上もしくは外側近傍に位置するように２本の切り込みＬ３、Ｌ３が接着領域１３および接着領域１４を結ぶ方向として延在するように形成されている。本実施形態においては、２本の切り込みＬ３と切り込みＬ３の間の折り線Ｆ１と一致する部分を切り取り線となる切り込みＬ３ａとし、切り取り線となる切り込みＬ３ａと切り込みＬ３，Ｌ４ａ，Ｌ４，Ｌ４ｂと支持部１９とに囲まれた部分を切り離しできるようにされている。なお後述するように切り離ししないことも可能である。
【００３９】
本実施形態のポップアップカード１０には、接着領域１３に上側基材１１と下側基材１２を貫通した差し込み部１９Ａが設けられる。差し込み部１９Ａは、２つ以上のポップアップカードを繋げる際に、立体状態に組み立てた支持部１９を突出させて差し込み部１９Ａに差し込み可能な位置として設けられる。
【００４０】
以下、本実施形態におけるポップアップカードの製造方法について説明する。
図２は、本実施形態におけるポップアップカードの製造工程を示す模式平面図、図３は、本実施形態におけるポップアップカードの製造工程を示すフローチャートである。
【００４１】
本実施形態におけるポップアップカードの製造方法は、図３に示すように、準備工程Ｓ０１と、センタースリット工程Ｓ０２と、接着層形成および剥離層形成工程Ｓ０３と、貼り合わせ工程Ｓ０４と、切り込み形成工程Ｓ０５と、折り筋形成工程Ｓ０６と、貫通切り込み形成工程Ｓ０７と、カス上げ工程Ｓ０８と、外形打ち抜き工程Ｓ０９とを有する。
【００４２】
まず、図３に示す準備工程Ｓ０１として、図２（ａ）に示すように、両面に所定の絵柄や文字などの印刷を施した基材を準備する。
基材の材質としては一般には紙基材を用いるが、必要な効果を奏するものであればこれに限らず、合成紙やポリエチレンテレフタレートなどのプラスチック基材などを用いてもよい。透明なプラスチック基材を用いる場合は、絵柄や文字を印刷する前に白色等の下地層を設けてもよい。もしくは、透明基材上に絵柄や文字を印刷した後に白色等の下地層を設けてもよく、また、さらにその下地層の上に印刷層を設けてもよい。基材の形状はロール状でも枚葉でも構わないが、生産性を考慮すると、所定の面付けを連続して行えるロール状が好ましい。
【００４３】
次いで、図３に示すセンタースリット工程Ｓ０２として、図２（ｂ）に示すように、基材１０Ａをその中央位置から２分して、上側基材１１と下側基材１２とする。なお、図２において、工程は上から下に、矢印に沿って進行する。
【００４４】
次いで、図３に示す接着層形成および剥離層形成工程Ｓ０３として、図２（ｃ）に示すように、上側基材１１の下面（下側基材１２と向かい合う面）に、非接着領域（擬似接着領域）１５に相当する部分または接着領域１３，１４を除く部分に剥離ニス層（剥離層）１５ａを形成する。剥離層としては、シリコーン系樹脂やアルキド系樹脂、オレフィン系樹脂などかららなる剥離剤を用いることができる。一方、下側基材１２の上面（上側基材１１と向かい合う面）には、接着領域１３，１４に相当する部分に接着剤層１３ａ，１３ｂを形成する。接着剤層１３ａ，１４ａとしては、デンプン糊やポリビニルアルコールなどの合成糊などのいわゆる水糊・液状糊や酢酸ビニル系接着剤、ゴム系接着剤、アクリル系接着剤剤、ウレタン系接着剤などの接着剤を用いることができる。特に、水分や溶剤が乾燥し固化する水糊のような接着剤が擬似接着領域を形成する上で好ましい。
なお、剥離ニス層（剥離層）１５ａを設けた場合には、接着剤層１３ａ，１４ａは、接着領域１３，１４および非接着領域１５となる下側基材１２の全面に設けることもできる。また、剥離ニス層（剥離層）１５ａを設けない場合には、接着剤層１３ａ，１４ａは、接着領域１３，１４のみに設けることができる。
【００４５】
次いで、図３に示す貼り合わせ工程Ｓ０４として、上側基材１１の下面と下側基材１２の上面を向かい合わせて貼り合わせ、本実施形態のポップアップカードを作製するための基材シート１０Ｂを作製する。なお、図２においては、説明のため、貼り合わせを表現しない状態として図示する。
【００４６】
次いで、図３に示す切り込み形成工程Ｓ０５として、図２（ｄ）に示すように、基材シート１０Ｂにおける上面側となる上側基材１１と、基材シート１０Ｂにおける下面側となる下側基材１２に切り込みＬ１〜Ｌ４を形成する。
この工程で、基材シート１０Ｂの上面の上側基材１１に接着領域１４とディスプレイ部１６側を区分けする切込みＬ１ｂと、接着領域１３に連接しディスプレイ部１６の輪郭となる任意の形状の切り込みＬ１，Ｌ１ａとを形成する。基材シート１０Ｂの下面の下側基材１２には接着領域１３の近傍に差し込み部１８となる２本の切り込みＬ２と支持部１９に相当する切込みＬ３，Ｌ４と支持部１９から延長した２本の切り込みＬ３，Ｌ３とを形成する。
ここで、上側基材１１に形成する切り込みとしては、ディスプレイ部１６を形成する切り込みＬ１、ディスプレイ部１６の輪郭線となっている切り込みＬ１の端部からポップアップカード１０の接着領域１３の延在する方向の端部に至る直線状の切り込みＬ１ａ、接着領域１４の延在する方向と平行な方向として接着領域１４と非接着領域１５との境界に設けられた直線状の切り込みＬ１ｂ、が挙げられる。
また、下側基材１２に形成する切り込みとしては、帯状の接着領域１３および接着領域１４を結ぶ方向として設けられる２本の直線状の平行な切り込みＬ３、これら２本の切り込みＬ３における接着領域１３側に位置するそれぞれの両端部に接続されて接着領域１３および接着領域１４の延在する方向と平行に延在する直線状の切り込みＬ３ａ、２本の切り込みＬ３の中央位置からそれぞれ内側に向けて切り込みＬ３ａと略平行となるように接続された切り込みＬ４ａ、切り込みＬ４ａにおけるポップアップカード１０の中心側端部から接着領域１４側に延在するとともにその接着領域１４側端部が折り線Ｆ３まで延在する切り込みＬ４、切り込みＬ４の接着領域１４側端部に接続されて切り込みＬ３ａと平行な切り込みＬ４ｂ、が挙げられる。なお、２本切り込みＬ３は、帯状の接着領域１３および接着領域１４の両端側どうしを接続するに充分な幅寸法を下側基材１２が有するように形成位置が設定される。
【００４７】
次いで、図３に示す折り筋形成工程Ｓ０６として、図２（ｅ）に示すように、基材シート１０Ｂにおける上面（上側基材１１の上面）と下面（下側基材１２の下面）に折り筋Ｆ１〜Ｆ４を形成する。折り線Ｆ１〜Ｆ４はいずれも、接着領域１３および接着領域１４の延在する方向と平行なポップアップカード１０の長さ寸法全長に亘って設けられる。
下側基材１２に形成する折り線としては、非接着領域１５の下側基材１２に、切り込みＬ３ａと一致する位置として接着領域１３が延在する方向と平行状態に設けられる折り線Ｆ１、非接着領域１５の下側基材１２に、切り込みＬ４ａと一致する位置として接着領域１３が延在する方向と平行状態に設けられる折り線Ｆ２、非接着領域１５の下側基材１２に、切り込みＬ４ｂおよび切り込みＬ３の接着領域１４側端部と一致する位置として接着領域１４が延在する方向と平行状態に設けられる折り線Ｆ３、接着領域１４の上側基材１１および下側基材１２に、突出部１７の基端位置として接着領域１４が延在する方向と平行状態に設けられる折り線Ｆ４、が挙げられる。
下側基材１２に組立て用の折り線Ｆ１〜Ｆ４となる折り筋を形成する際、折り線Ｆ１の折り筋部分においては、支持部１９から延長した２本の切り込みＬ３と切り込みＬ３との間で破線状の切り目からなる切り取り線Ｌ３ａとする。
【００４８】
次いで、図３に示す貫通切り込み形成工程Ｓ０７として、図２（ｆ）に示すように、
接着領域１３の端部側に、上側基材１１と下側基材１２を貫通した切り込みＬ５からなる差し込み部１９Ａを形成する。
【００４９】
次いで、図３に示すカス上げ工程Ｓ０８として、図２（ｇ）に示すように、基材シート１０Ｂの上面の接着領域１３と接着領域１４、ディスプレイ部１６以外の上側基材１１をカス上げして取り除く。
【００５０】
最後に、図３に示す外形打ち抜き工程Ｓ０９として、図２（ｈ）に示すように、所定のカード輪郭形状となるように打ち抜くとともに切り離して本実施形態のポップアップカード１０が製造される。なお、本発明では便宜上カードと表現しているが、本発明を実現できる範囲で任意の形状、寸法等の外形にして構わない。
【００５１】
次に、本実施形態のポップアップカード１０における組立て方法について説明する。
図４は、本実施形態におけるポップアップカードの組み立て途中の状態を示す斜視図、図５は、本実施形態におけるポップアップカードにおける組み立てた立体状態の前側を示す斜視図、図６は、本実施形態におけるポップアップカードにおける組み立てた立体状態の後ろ側を示す斜視図である。
【００５２】
本実施形態におけるポップアップカード１０は、突出部１７を差し込み部１８に差し込むことにより、図５に示すように、上側基材１１に設けられたディスプレイ部１６を起立させることができる。
【００５３】
本実施形態におけるポップアップカード１０を組み立てて立体状態とするには、まず、図４に示すように、切り取り線（切り込み）Ｌ３ａから下側基材１２Ａを切り取って分離する。
次いで、ポップアップカード１０を折り線Ｆ１で下側基材１２を下面側に山折りし、同様に折り線Ｆ２、折り線Ｆ３の順で下側基材１２を下面側に山折りにする。
次に折り線Ｆ４で突出部１７を上面側に谷折りにし、組み立て準備をおこなう。
【００５４】
次に、突出部１７を、２本の切り込みＬ２として下側基材１２に形成された差し込み部１８と上側基材１１の間に差し込み本発明の起立カードを組み立てて、図５，図６に示すように、立体状態とする。このとき、２本の切り込みＬ２のうち、上側の切り込みＬ２から先に突出部１７を下側基材１２と上側基材１１との間に差し込んで、下側の切り込みＬ２から下側基材１２の外側に突出させる、つまり、２本の平行な差し込み部１８に対して、接着領域１４側に位置する差し込み部１８と接着領域１３側に位置する差し込み部１８の間では、突出部１７が下側基材１２と上側基材１１との間に位置するようにして、突出部１７を接着領域１３に対して位置規制し、立体状態に組み立てる。これにより、図４に示したように山折りにされた折れ線Ｆ１〜Ｆ３における変形に起因する下側基材１２の付勢力により突出部１７が差し込み部１８から外れてしまうことが防止される。
【００５５】
本実施形態におけるポップアップカード１０は、上記の構成として組み立てた際には、
接着領域１３がディスプレイ部１６の下側に位置して、ポップアップカード１０を起立させた場合にその脚部として起立した状態のディスプレイ部１６を安定的に支持することができる。同時に、支持部１９および折り線Ｆ３付近の非接着領域１５の下側基材１２によってなることで、ポップアップカード１０を起立させた場合にその脚部として、ディスプレイ部１６を起立させた後、支持部１９が転倒を防止し、起立した状態のディスプレイ部１６を安定的に支持することができる。
同時に、この脚部となる接着領域１３が上側基材１１と下側基材１２との２枚が貼り着けられて構成されていることにより、不必要な折れ・曲げの発生を防止するに充分な強度を維持することが可能となる。
【００５６】
図７は、本実施形態におけるポップアップカードにおける連結した立体状態の前側を示す斜視図、図８は、本実施形態におけるポップアップカードにおける連結した立体状態の後ろ側を示す斜視図、図９は、本実施形態におけるポップアップカードにおける３個連結した立体状態の前側を示す斜視図である。
さらに、本実施形態におけるポップアップカード１０は、図７、図８に示すように、支持部１９の突出した部分を差し込み部１９Ａに差込んで連結することで、２つ以上の本実施形態におけるポップアップカード１０を容易に繋げることができる。これにより、単なる置物以上の遊び方の面白みを増して、遊戯性を向上することができる。
【００５７】
なお、図では、２個のポップアップカード１０を連結したが、さらに多数のポップアップカード１０を連結する、あるいは、図７、図８に示した支持部１９と差し込み部１９Ａと異なる組み合わせとして、図９に示すように、横に広がるように連結することもできる。図９に示す例においては、右側の支持部１９の突出した部分を左側の差し込み部１９Ａに差込んで連結することで、左右方向にずれた位置として、２つ以上の本実施形態におけるポップアップカード１０を容易に繋げることができる。図に示すように、図において右側に位置するポップアップカード１０においては、表示部１６’として、異なるデザインのものを連結しており、このように、遊び方の面白みを増して、遊戯性を向上することができる。
【００５８】
本実施形態におけるポップアップカード１０は、折り曲げて立体的に組み立てた際に、簡単な構成で容易に組み立て可能とすることができる。同時に、輪転機での連続した製造を可能とすることができる。例えば、ディスプレイ部１６として所望のアイキャッチを印刷し、接着領域１３および支持部１９を脚部とすることにより、容易に組み立て可能で、かつ、簡易的に立体を形成して起立可能な構造を実現し、同時に、安定的に起立させることが容易に可能となり、ディスプレイ部１６の立体感と遊戯性とを向上することができる。製造時に、上側基材１１の不要部分を輪転機により連続的に除去するカス上げ工程を容易におこなうことが可能となる。
【００５９】
本実施形態におけるポップアップカード１０は、２枚の上側基材１１と下側基材１２とが貼り合わされて形成され強度が充分な接着領域１３を脚部として安定的に起立させることが容易になる。また、非接着領域１５における下側基材１２の一部１２Ａが切り離し可能とされることにより、応募券等として使用することができる。また、突出部１７が、上側基材１１と下側基材１２との２枚が貼り合わされたものとして、不要な折り曲げや破れの発生に対して充分対抗可能な強度を有するとともに、ディスプレイ部１６が、少なくとも上側基材の１枚からなる部分を有するため、柔軟性を有し起立させやすい状態を維持して、視認性を向上することが可能となる。差し込み部１８として、上側基材１１下側に位置する下側基材１２にのみ切り込みＬ２を設けたため、差し込み部１８に差し込まれた突出部１７が上側基材１１の上面（表面）側から見えることがなくディスプレイ性を向上して、上側基材１１上面側における印刷上の制約をなくすことができる。突出部１７の形成されていない接着領域１３に干渉することなく突出部１７を差し込み部１８に差し込んだ状態を維持可能とすることができるとともに、２本の切り込みＬ２とすることで差し込み部１８に差し込んだ突出部１７の差し込み位置を規定して、組み立てた立体状態を容易に維持可能とすることができる。
【００６０】
本実施形態におけるポップアップカード１０は、非接着領域１５に剥離ニス層１５ａを設けることで輪転機による連続した製造を容易にすることができる。支持部１９と差し込み部１９Ａを設けたことで、複数のポップアップカード１０，１０を立体的に組み立てた状態で連結して、遊戯性を向上するとともに、コレクションとしてのシリーズ多様性を向上することができる。
またディスプレイ部１６を下側基材に剥離ニス層１５ａを設けて擬似接着させることにより、組立て前の平板状のポップアップカード１０でディスプレイ部１６が浮き上がり剥がれることを防止でき、輪転機での製造における不具合発生を低減してより容易に製造することを可能にできる。
【００６１】
以下、本発明に係るポップアップカードの第２実施形態を、図面に基づいて説明する。
図１０は、本実施形態におけるポップアップカードの立体状態における前側を示す斜視図であり、図１１は、本実施形態におけるポップアップカードの立体状態における後ろ側を示す斜視図である。
本実施形態において、上述した第１実施形態と異なるのは、ディスプレイ部１６の切り込みＬ１に関する点、非接着領域１５の下側基材１２の切り込みＬ４等に関する点、折れ線に関する点、および、連結部２１ａに関する点であり、これ以外の上述した第１実施形態と対応する構成には同一の符号を付してその説明を省略する。
【００６２】
前述した第１実施形態においては切り込みＬ１，Ｌ１ａ，Ｌ１ｂによりディスプレイ部１６と接着領域１４とが離間していたが、本実施形態のポップアップカード２０においては、図１０，図１１に示すように、ディスプレイ部１６の輪郭は、接着領域１３側の切り込みＬ１ａと、接着領域１３と接着領域１４とを結ぶ方向の切り込みＬ２１と、接着領域１４側の切り込みＬ２１ｂと、切り込みＬ２１と切り込みＬ２１ｂとを結ぶ、連結部２１ａの輪郭となる切り込みＬ２１ｃとから形成されている。
【００６３】
ディスプレイ部１６と、接着領域１４側に連接する非接着領域１５の上側基材１１に形成された起立部２１ｂとは、図１０，図１１に示すように、連結部２１ａにより接続されている。
また、折り線Ｆ２１は、接着領域１３と非接着領域１５との境界線に沿って上側基材１１のみに設けられる。折り線Ｆ２２は、接着領域１３側の非接着領域１５に位置して下側基材１２のみに設けられて、下側基材１２にマチ部２２ａを形成する。折り線Ｆ２３は、接着領域１４側の非接着領域１５に位置して上側基材１１のみに設けられてディスプレイ部１６と連結部２１ａとの境界を形成する。折り線Ｆ２４は、接着領域１４と非接着領域１５との境界線に沿って上側基材１１のみに設けられ起立部２１ｂを形成する。
折り線Ｆ２１は、ポップアップカード２０の上側基材１１側である上面に対して谷折りとされ、折り線Ｆ２２は、同谷折りとされ、折り線Ｆ２３は、同山折りとされ、折り線Ｆ２４は、同谷折りとされている。
折り線Ｆ２１〜折り線Ｆ２４の間隔寸法を適宜設定することで、起立部２１ｂおよび連結部２１ａは、マチ部２２ａと平行状態として組み立てられる。
接着領域１４においては、接続部１７が設けられず、略矩形の外形となっている。
【００６４】
非接着領域１５においては、第１実施形態における切り込みＬ３に対応して、下側基材１２に切り込みＬ２３が平行に設けられ、第１実施形態における切り込みＬ４ｂに対応して、下側基材１２に切り込みＬ２４が折り線Ｆ２１〜Ｆ２４と平行に設けられる。
切り込みＬ２３，Ｌ２３と切り込みＬ２４とは、コ字状をなすように形成されている。切り込みＬ２３，Ｌ２３と切り込みＬ４ｂとによって、下側基材１２にはマチ部２２ａに連続した支持部２９が形成され、この支持部は、立体に組み立てられたポップアップカード２０において、ディスプレイ部１６と反対側になる後ろ方向に支持部１９に対応して突出する。このとき、接着領域１３とマチ部２２ａと支持部２９とが平面状となるため、脚部として安定してディスプレイ部１６の起立したポップアップカード２０を支持することが可能となる。
【００６５】
同時に、ディスプレイ部１６が起立部２１ｂおよび連結部２１ａによって平行状態に起立した平板状の非接着領域１５および接着領域１４の下側基材１２に連結されているため、より一層安定してディスプレイ部１６の起立したポップアップカード２０を支持することが可能となる。
【００６６】
本実施形態のポップアップカード２０においては、上述した第１実施形態と同等の効果を奏することができるとともに、さらに、起立部２１ｂ、接着領域１４の上側基材１１や非接着領域１５下側基材１２等により、ディスプレイ部１６のキャラクターよりも大きい背景ができることでデザインの幅が広がるとともに、また、キャラクターの世界観を表現できる、という効果を奏することができる。
なお、本実施形態では、連結部２１ａを幅方向中央位置に１箇所設けたが、複数の連結部を有することも可能である。
【００６７】
以下、本発明に係るポップアップカードの第３実施形態を、図面に基づいて説明する。
図１２は、本実施形態におけるポップアップカードの立体状態における前側を示す斜視図である。
本実施形態において、上述した第１実施形態と異なるのは、非接着領域１５の下側基材１２の支持部１９および切り込みＬ３等に関する点、および、折れ線Ｆ１等に関する点であり、これ以外の上述した第１実施形態と対応する構成には同一の符号を付してその説明を省略する。
【００６８】
前述した第１実施形態においては、切り込みＬ４，Ｌ４ａ，Ｌ４ｂにより接着領域１４側から支持部１９が形成されていたが、本実施形態のポップアップカード３０においては、図１２に示すように、切り込みＬ３３，Ｌ３３ａにより接着領域１４側から起立部３９が形成されている。
切り込みＬ３３，Ｌ３３は、第１実施形態の切り込みＬ３に対応して平行に２本設けられ、切り込みＬ３３ａは、第１実施形態の切り込みＬ３ａに対応して接着領域１３側に設けられ、これら切り込みＬ３３および切り込みＬ３３ａはコ字状をなしている。
【００６９】
また、本実施形態のポップアップカード３０において、図１２に示すように、折り線Ｆ３１は、接着領域１３と非接着領域１５との境界線に沿って上側基材１１および下側基材１２に設けられる。折り線Ｆ３３は、折り線Ｆ３１および折り線Ｆ２と平行状態とされ、折り線Ｆ２よりも接着領域１４側の非接着領域１５における切り込みＬ３３ａに接続する位置として下側基材１２のみに設けられる。折り線Ｆ３４ａは、折り線Ｆ３１，Ｆ２，Ｆ３３と平行状態とされ、折り線Ｆ３３よりも接着領域１４側の非接着領域１５における切り込みＬ３３ａに接続する位置として下側基材１２のみに設けられる。折り線Ｆ３４は、折り線Ｆ３１，Ｆ２，Ｆ３３，Ｆ３４ａと平行状態とされ、折り線Ｆ３４ａよりも接着領域１４側の非接着領域１５で、切り込みＬ３３と切り込みＬ３３の内側位置として下側基材１２のみに設けられ起立部３９を形成する。
【００７０】
折り線Ｆ３１は、ポップアップカード３０の上側基材１１側である上面に対して谷折りとされ、折り線Ｆ２は、同山折りとされ、折り線Ｆ３３は、同山折りとされ、折り線Ｆ３４ａは、同山折りとされ、折り線Ｆ３４は、同山折りとされている。
【００７１】
本実施形態のポップアップカード３０において、起立部３９は、第１実施形態における支持部１９に対応するが、折り線Ｆ３１〜折り線Ｆ３４の間隔寸法を適宜設定することで、起立部３９は、ディスプレイ部１６と平行状態として起立するように組み立てられる。これにより、ディスプレイ部１６に印刷したキャラクターに対し、その背景を起立部３９に印刷する等の構成として利用することが可能となる。
【００７２】
本実施形態のポップアップカード３０においては、上述した実施形態と同等の効果を奏することができるとともに、さらに、起立部３９として、ディスプレイ部１６のキャラクターよりも小さい絵柄の背景ができることで、角度によって背景が見え、正面からと異なるデザインで楽しめる、という効果を奏することができる。
【００７３】
以下、本発明に係るポップアップカードの第４実施形態を、図面に基づいて説明する。
図１３は、本実施形態におけるポップアップカードの組み立て途中における後ろ側を示す斜視図である。
本実施形態において、上述した第１実施形態と異なるのは、非接着領域１５の下側基材１２の支持部１９および切り込みＬ３等に関する点、差し込み部１８に関する点、および、折れ線Ｆ１等に関する点であり、これ以外の上述した第１実施形態と対応する構成には同一の符号を付してその説明を省略する。
【００７４】
前述した第１実施形態においては、切り込みＬ４，Ｌ４ａ，Ｌ４ｂにより接着領域１４側から支持部１９が形成されていたが、本実施形態のポップアップカード４０においては、図１３に示すように、切り込みＬ４３，Ｌ４３，Ｌ４３ａ，Ｌ４４によって非接着領域１５における下側基材１２が分離可能とされている。
切り込みＬ４３，Ｌ４３は、第１実施形態の切り込みＬ３に対応して平行に２本設けられ、切り込みＬ４３ａは、第１実施形態の切り込みＬ３ａに対応して接着領域１３側に設けられ、切り込みＬ４４は、切り込みＬ４ｂに対応して切り込みＬ４３ａと平行に設けられる。
これら切り込みＬ４３，Ｌ４３，Ｌ４３ａ，Ｌ４４は矩形状をなしているとともに、これらの切り込みＬ４３，Ｌ４３，Ｌ４３ａ，Ｌ４４は少なくともその一部、または、全部がミシン目とされて、切り込みＬ４３，Ｌ４３，Ｌ４３ａ，Ｌ４４で囲まれた下側基材１２で形成される切り離し部分１２Ａが分離可能となっている。
【００７５】
また、本実施形態のポップアップカード４０においては、図１３に示すように、突出部１７を差し込む差し込み部４８が、非接着領域１５に一本の切り込みＬ４２として設けられている。
【００７６】
折り線Ｆ４１は、接着領域１３と非接着領域１５との境界線に沿って上側基材１１のみに設けられる。折り線Ｆ４２は、折り線Ｆ４１と平行状態とされ、折り線Ｆ２に対応して非接着領域１５における切り込みＬ４３のほぼ中央位置で切り込みＬ４３に接続する位置として下側基材１２のみに設けられる。折り線Ｆ４３は、折り線Ｆ４１，Ｆ４２と平行状態とされ、折り線Ｆ４２よりも接着領域１４側の非接着領域１５における切り込みＬ４４に対応する位置として下側基材１２のみに設けられる。
折り線Ｆ４１は、ポップアップカード４０の上側基材１１側である上面に対して谷折りとされ、折り線Ｆ４２は、同谷折りとされ、折り線Ｆ４３は、同谷折りとされている。
【００７７】
本実施形態のポップアップカード４０において、突出部１７は、上側基材１１側から下側基材１２に設けられた差し込み部４８に差し込まれる。つまり、上側基材１１と下側基材１２の間の位置から、下側基材１２の下側に向けて差し込み部４８に対して挿入されることができる。
【００７８】
本実施形態のポップアップカード４０においては、上述した実施形態と同等の効果を奏することができるとともに、さらに、連結部分である支持部１９がなくなる代わりに、図４に示した実施形態と同様に、台座部分である非接着領域１５の下側基材１２ができるためポップアップするという観点からは最も安定性がある、また、不要となる切り離し部分１２Ａをクーポンやチケットとして利用するという遊び方もできる、という効果を奏することができる。
【００７９】
以下、本発明に係るポップアップカードの第５実施形態を、図面に基づいて説明する。
図１４は、本実施形態におけるポップアップカードの立体状態における前側を示す斜視図である。
本実施形態において、上述した第１および第２実施形態と異なるのは、非接着領域１５の上側基材１１の切り込みＬ３等に関する点、差し込み部１８に関する点、および、折れ線Ｆ２１等に関する点であり、これ以外の上述した第１および第２実施形態と対応する構成には同一の符号を付してその説明を省略する。
【００８０】
前述した第１および第２実施形態においては、切り込みＬ３や切り込みＬ２３等が非接着領域１５における下側基材１２に形成されていたが、本実施形態のポップアップカード５０においては、図１４に示すように、切り込みＬ５３，Ｌ５４が非接着領域１５における上側基材１１のみに形成されている。
切り込みＬ５３，Ｌ５３は、第２実施形態の切り込みＬ２３に対応して平行に２本設けられ、切り込みＬ５４は、第２実施形態の切り込みＬ２４に対応して非接着領域１５の接着領域１３と接着領域１４の中央位置に設けられ、切り込みＬ５４は、切り込みＬ５３の中央位置でこれら切り込みＬ５３どうしを接続するように設けられ、これら切り込みＬ５３，Ｌ５３，Ｌ５４はＨ形状をなしている。
【００８１】
また、本実施形態のポップアップカード５０においては、図１４に示すように、突出部１７および差し込み部１８がなく、切り込みＬ５３，Ｌ５３，Ｌ５４によって形成された観音開き状のディスプレイ部５６ａ，５６ｂが設けられている。
【００８２】
折り線Ｆ５１は、折り線Ｆ２１に対応して、接着領域１３と非接着領域１５との境界線に沿って上側基材１１および下側基材１２に設けられる。折り線Ｆ５２ａは、折り線Ｆ５１と平行状態とされ、非接着領域１５における切り込みＬ５３よりも接着領域１３側位置として上側基材１１のみに設けられる。折り線Ｆ５２ｂは、折り線Ｆ５２ａと平面視して同じ位置として、折り線Ｆ５１と平行に非接着領域１５における切り込みＬ５３よりも接着領域１３側位置として下側基材１２のみに設けられる。折り線Ｆ５２ｃは、折り線Ｆ５１、Ｆ５２ａ，Ｆ５２ｂと平行状態とされ、非接着領域１５における切り込みＬ５３の接着領域１３側端部を結ぶように切り込みＬ５３に接続する位置として切り込みＬ５３に挟まれた部分のみの上側基材１１に設けられる。
【００８３】
折り線Ｆ５３ｃは、折り線Ｆ５１、Ｆ５２ａ，Ｆ５２ｂと平行状態とされ、非接着領域１５における切り込みＬ５３の接着領域１４側端部を結ぶように切り込みＬ５３に接続する位置として切り込みＬ５３に挟まれた部分のみの上側基材１１に設けられる。
折り線Ｆ５３ａは、折り線Ｆ５１と平行状態とされ、非接着領域１５における切り込みＬ５３よりも接着領域１４側位置として上側基材１１のみに設けられる。
折り線Ｆ５３ｂは、折り線Ｆ５３ａと平面視して同じ位置として、折り線Ｆ５１と平行に非接着領域１５における切り込みＬ５３よりも接着領域１４側位置として下側基材１２のみに設けられる。
折り線Ｆ５４は、折り線Ｆ２４に対応して、接着領域１４と非接着領域１５との境界線に沿って上側基材１１および下側基材１２に設けられる。
【００８４】
折り線Ｆ５１は、ポップアップカード５０の上側基材１１側である上面に対して上側基材１１で谷折りとされるとともに下側基材１２で山折りとされ、折り線Ｆ５２ａは同山折りとされ、折り線Ｆ５２ｂは同谷折りとされ、折り線Ｆ５２ｃは同谷折りとされ、折り線Ｆ５３ｃは同谷折りとされ、折り線Ｆ５３ａは同山折りとされ、折り線Ｆ５３ｂは同谷折りとされ、折り線Ｆ５４は上側基材１１で谷折りとされるとともに下側基材１２で山折りとされている。
【００８５】
本実施形態のポップアップカード５０において、切り込みＬ５３，Ｌ５３，Ｌ５４および折り線５２ｃ，５３ｃによって形成された観音開き状のディスプレイ部５６ａ，５６ｂが設けられるとともに、この切り込みＬ５３，Ｌ５３，Ｌ５４および折り線５２ｃ，５３ｃによって上側基材１１に形成された窓部を透過して視認可能な非接着領域１５の下側基材１２表面がディスプレイ部５６ｃとなっている。観音開き状のディスプレイ部５６ａ，５６ｂを開閉することで、ディスプレイ部５６ｃをも視認可能とすることができる。
同時に、折り線Ｆ５１〜Ｆ５４を折り曲げて立体状態とすることで、上側基材１１および下側基材１２を貼り合わせた接着領域１３および接着領域１４をポップアップカード５０の両側に立設した状態として、極めて強度的に強い状態を形成することができる。
【００８６】
本実施形態のポップアップカード５０においては、上述した実施形態と同等の効果を奏することができるとともに、さらに、観音開きの扉であるディスプレイ部５６ａ，５６ｂを開くことで隠れた絵柄であるディスプレイ部５６ｃ等が出てくる楽しさがあるとともに、これら全面に作られた扉と後面の絵柄によって他の実施例よりも奥行きが感じられる、また、パッケージの開封後に当落の判明するようなあたりはずれのクジとして利用することに適している、という効果を奏することができる。
【産業上の利用可能性】
【００８７】
本発明の活用例として、菓子等を収納する紙箱と一体に形成するとともにその一部を切り取ることで、上記の実施形態におけるポップアップカードとなる構成を採用することもできる。
【符号の説明】
【００８８】
１０〜５０…ポップアップカード
１１…上側基材
１２…下側基材
１３…接着領域
１３ａ…接着剤層
１４…接着領域
１４ａ…剥離層
１５…非接着領域
１６〜５６ｃ…ディスプレイ部
１７…突出部
１８…差し込み部
１９…支持部
１９Ａ…差し込み部
Ｌ１〜Ｌ５４…切り込み
Ｆ１〜Ｆ５４…折り線
【図１】
2015191204.tif 000003
【図２】
2015191204.tif 000004
【図３】
2015191204.tif 000005
【図４】
2015191204.tif 000006
【図５】
2015191204.tif 000007
【図６】
2015191204.tif 000008
【図７】
2015191204.tif 000009
【図８】
2015191204.tif 000010
【図９】
2015191204.tif 000011
【図１０】
2015191204.tif 000012
【図１１】
2015191204.tif 000013
【図１２】
2015191204.tif 000014
【図１３】
2015191204.tif 000015
【図１４】
2015191204.tif 000016